(57)【要約】【課題】  デジタルカメラで撮影した画像データを直接、外部保存メディアドライブ装置に伝送して保存メディアに保存できるようにする。【解決手段】  デジタルカメラで撮影した画像データをメモリカード１０７に記録する際に、画像データの出力先をユーザ定義領域に書込んだＤＰＯＦファイルを作成してメモリカード１０７に書込む。メモリカード１０７のＤＰＯＦファイルを保存メディアドライブ機器に読込ませて、ユーザ定義領域の記述にしたがって、画像データを保存メディアに保存する。  また、ＤＰＯＦファイルによって、保存メディアに保存された画像データのメニュー表示を行う。  【選択図】図４
2006157717.tif 000002
【特許請求の範囲】
【請求項１】
記録媒体と、
光学像を電気信号に変換して画像データを生成する手段と、
前記画像データを前記記録媒体に記録する画像データ記録手段と、
前記記録媒体に記録された画像データの出力先として、画像データ記録機器を設定したＤＰＯＦファイルを生成して前記記録媒体に記録するＤＰＯＦファイル記録手段と、
前記ＤＰＯＦファイルを前記画像データ記録機器に読込ませるべく出力すると共に、前記画像データを前記ＤＰＯＦにしたがって前記画像データ記録機器に出力する出力手段と、
を備えたことを特徴とするデジタルカメラ装置。
【請求項２】
前記ＤＰＯＦファイルが前記画像データ記録機器用のメニュー画面を構築するための記述を含むことを特徴とする請求項１に記載のデジタルカメラ装置。
【請求項３】
撮影した画像データが記録されると共に、当該記録された画像データの出力先として画像データ記録機器を設定したＤＰＯＦフィルが記録された記録媒体から前記ＤＰＯＦファイルを読込む手段と、
前記読込んだＤＰＯＦファイルの記述内容に基づいて、前記画像データを記録メディアに記録する手段を備えたことを特徴とする画像データ記録装置。
【請求項４】
さらに前記ＤＰＯＦファイルが、メニュー画面を構築する記述を含んでおり、この記述に基づいて、前記記録した画像データのメニュー画面を表示する手段を備えたことを特徴とする請求項３に記載の画像データ記録装置。
【請求項５】
光学像を電気信号に変換して画像データを生成して記録媒体に記録すると共に、前記記録媒体に記録された画像データの出力先として、画像データ記録機器を設定したＤＰＯＦファイルを生成して前記記録媒体に記録する記録手段と、前記ＤＰＯＦファイルを前記画像データ記録機器に読込ませるべく出力すると共に、前記画像データを前記ＤＰＯＦにしたがって前記画像データ記録機器に出力する出力手段とを備えたデジタルカメラ装置と、
前記デジタルカメラ装置から出力される前記ＤＰＯＦファイルを読込む手段と、前記読込んだＤＰＯＦファイルの記述内容に基づいて、前記画像データを記録メディアに記録する手段を備えた画像データ記録装置と、
を具備したことを特徴とする画像データ保存システム。
【請求項６】
さらに前記ＤＰＯＦファイルが、メニュー画面を構築する記述を含んでおり、この記述に基づいて、前記記録した画像データのメニュー画面を表示する手段を備えたことを特徴とする請求項５に記載の画像データ保存システム。
【請求項７】
光学像を電気信号に変換して画像データを生成してデジタルカメラの記録媒体に記録すると共に、前記記録媒体に記録された画像データの出力先として、画像データ記録機器を設定したＤＰＯＦファイルを生成して前記記録媒体に記録するステップと、
前記ＤＰＯＦファイルを前記画像データ記録機器に読込ませるべく出力するステップと、
前記記録媒体から出力される前記ＤＰＯＦファイルを読込むステップと、
読込んだＤＰＯＦファイルの記述内容に基づいて、前記画像データを前記画像データ記録機器の記録メディアに記録するステップと、
を具備したことを特徴とする画像データ保存方法。
【発明の詳細な説明】
【技術分野】
【０００１】
この発明は、デジタルカメラで撮影した画像データを、カメラ外部の保存メディアに保存するために出力するデジタルカメラ装置と、デジタルカラ装置から出力される画像データを保存メディアに保存する画像データ記録装置及び、そのようなデジタルカメラ装置と画像データ記録装置で構成される画像データ保存システムに関し、特にデジタルカメラの画像データのプリント用記録フォーマットであるＤＰＯＦ（Digital Print Order Format)を用いて、画像データを画像データ記録装置に直接伝送してその保存メディアに保存できるようにしたデジタルカメラ装置、画像データ記録装置、画像データ保存システム及び画像データ保存方法に関する。
【背景技術】
【０００２】
デジタルカメラで撮影した画像データをＣＤ（Compact Disk）、ＤＶＤ（Digital Versatile Disk）等のメディアに保存しようとする場合、ＣＤあるいはＤＶＤドライブ装置を備えたパーソナルコンピュータ（ＰＣ）にデジタルカメラを接続し、ＰＣのアプリケーションソフトで、デジタルカメラ内の画像データを選択して、画像データをダウンロードしてＣＤあるいはＤＶＤに書き込むという手順を踏むのが一般的である。
【０００３】
または、デジタルカメラ内の画像データを一括で、ホスト機能を持つ簡易バーナ装置を経由して、ＣＤあるいはＤＶＤ等の保存メディアに転送して書き込むという手法も採られることがある。
【０００４】
しかしながら、以上示したような手法では、次のような問題点が存在する。  
すなわち、ＰＣを利用するものでは、当然ながらＰＣが必要であり、そのアプリケーションソフトを起動させてからでないと、画像データの保存ができず、操作が複雑になる。
【０００５】
また、簡易バーナ装置を利用する場合には、保存メディアに保存したい画像データを選択することができず、デジタルカメラ内の全ての画像データが保存メディアに保存されることになる。
【０００６】
デジタルカメラで撮影した画像データを、当該デジタルカメラに装着されたメモリカード等のメディアに記録する際の情報記録フォーマットとして、ＤＰＯＦが開発されている。
【０００７】
このフォーマットによれば、撮影した画像データをメディアに記録する際に、画像のサイズ、タイトル、トリミング設定、機器情報、日付と時刻、ユーザ名、住所、電話番号が記録され、さらに、プリントしたい画像や、その枚数、一緒に出力したい情報を、予めデジタルカメラ側で設定することで、その情報がメディアに記録され、プリントサービスや家庭のプリンタで自動的に設定にしたがったプリントが行われるようになる。
【０００８】
すなわち、ＤＰＯＦによれば、ＰＣを介さずに、目的の画像データを選択してプリンタに直接転送することが可能であり、それを発展させることで、ＣＤあるいはＤＶＤドライブ装置に目的の画像データを転送して、それを保存メディアに保存させることも可能と思われるが、それを実現した提案はなされていない。
【０００９】
すなわち、ＤＰＯＦには、ユーザが出力メディア、フォーマット、パラメータ等を自由に設定できるユーザ定義エリアが設けられており、それを用いることでＣＤあるいはＤＶＤドライブ装置に画像データを転送するように設定することが可能であるがそれを実現した提案はなされていない。
【００１０】
特許文献１には、デジタルカメラで撮影した画像データのＤＰＯＦファイルを記録することが記載されているが、それを画像データを外部の保存メディアに保存するために用いるということにまでは言及されていない。
【特許文献１】特開２００２−３６９０３６号公報
【発明の開示】
【発明が解決しようとする課題】
【００１１】
以上のように、従来デジタルカメラにおいて、画像データのＤＰＯＦファイルを記録することで、画像データをプリンタに直接転送することは可能であるが、ＣＤあるいはＤＶＤ等の保存メディアに保存するために、ＤＰＯＦファイルを用いて画像データをＣＤドライブ機器あるいはＤＶＤドライブ機器に転送するという提案はなされていなかった。
【００１２】
本発明は、以上の点に鑑みてなされたもので、ＤＰＯＦのユーザ定義エリアに、必要な情報を設定することで、画像データを直接転送して、ＣＤあるいはＤＶＤ等の保存メディアに保存することを可能にした、デジタルカメラ装置、画像データ記録装置、画像データ保存システム及び画像データ保存方法を提供することを目的とする。
【課題を解決するための手段】
【００１３】
この発明に係るデジタルカメラ装置は、記録媒体と、光学像を電気信号に変換して画像データを生成する手段と、前記画像データを前記記録媒体に記録する画像データ記録手段と、前記記録媒体に記録された画像データの出力先として、画像データ記録機器を設定したＤＰＯＦファイルを生成して前記記録媒体に記録するＤＰＯＦファイル記録手段と、前記ＤＰＯＦファイルを前記画像データ記録機器に読込ませるべく出力すると共に、前記画像データを前記ＤＰＯＦにしたがって前記画像データ記録機器に出力する出力手段と、を備えたことを特徴とする。
【００１４】
この発明の画像データ記録装置は、撮影した画像データが記録されると共に、当該記録された画像データの出力先として画像データ記録機器を設定したＤＰＯＦフィルが記録された記録媒体から前記ＤＰＯＦファイルを読込む手段と、前記読込んだＤＰＯＦファイルの記述内容に基づいて、前記画像データを記録メディアに記録する手段を備えたことを特徴とする。
【００１５】
この発明に係わる画像データ保存システムは、光学像を電気信号に変換して画像データを生成して記録媒体に記録すると共に、前記記録媒体に記録された画像データの出力先として、画像データ記録機器を設定したＤＰＯＦファイルを生成して前記記録媒体に記録する記録手段と、前記ＤＰＯＦファイルを前記画像データ記録機器に読込ませるべく出力すると共に、前記画像データを前記ＤＰＯＦにしたがって前記画像データ記録機器に出力する出力手段とを備えたデジタルカメラ装置と、前記デジタルカメラ装置から出力される前記ＤＰＯＦファイルを読込む手段と、前記読込んだＤＰＯＦファイルの記述内容に基づいて、前記画像データを記録メディアに記録する手段を備えた画像データ記録装置と、を具備したことを特徴とする。
【００１６】
この発明に係わる画像データ保存方法は、光学像を電気信号に変換して画像データを生成してデジタルカメラの記録媒体に記録すると共に、前記記録媒体に記録された画像データの出力先として、画像データ記録機器を設定したＤＰＯＦファイルを生成して前記記録媒体に記録するステップと、前記ＤＰＯＦファイルを前記画像データ記録機器に読込ませるべく出力するステップと、前記記録媒体から出力される前記ＤＰＯＦファイルを読込むステップと、読込んだＤＰＯＦファイルの記述内容に基づいて、前記画像データを前記画像データ記録機器の記録メディアに記録するステップと、を具備したことを特徴とする。
【発明の効果】
【００１７】
発明によれば、デジタルカメラ内の画像データから選択した画像データを、直接ＣＤドライブ装置あるいはＤＶＤ装置に転送してその保存メディアに保存させることが可能となるものである。
【発明を実施するための最良の形態】
【００１８】
以下、この発明の実施の形態について図面を参照して詳細に説明する。図１は、この実施の形態で説明するデジタルカメラ装置１００の回路ブロック図である。
【００１９】
撮像部１０１は、ＣＣＤ（Charge Coupled Device）等の撮像素子を備え、光学像を撮像信号に変換し、さらにデジタル信号に変換して出力する。撮像部１０１は、バス１０２を介してＣＰＵ（Central Processing Unit）１０３に接続されており、ＣＰＵ１０３によってその動作が制御される。
【００２０】
撮像部１０１の出力は、ＤＳＰ（Digital Signal Processor ）１０４に供給され、ＤＳＰ１０４は、ＣＰＵ１０３の制御の下、撮像部１０１からのデジタル撮像信号に対して、ホワイトバランス調整処理、ガンマ補正処理、補間処理、色変換処理等の処理を施して画像信号として生成すると共に、画像信号に対して走査方式変換、解像度変換等の表示のための処理を施して、表示部１０５に導出して、その画像を表示させる。
【００２１】
さらにＤＳＰ１０４は、画像信号のＤＰＯＦファイルを構築して、バス１０２を介してＳＤ（Secure Digital）Ｉ／Ｏ（Input Output)１０６に送り、半導体メモリカードとしてのＳＤカード１０７に記録する。
【００２２】
バス１０２にはさらに、メモリ１０８と、操作部１０９と、ＵＳＢ（Universal Serial Bus）Ｉ／Ｆ（Interface）１１０が接続されている。
【００２３】
メモリ１０８は、ＣＰＵ１０３によって実行される各種処理のためのプログラムあるいは後述するＧＵＩ（Graphical User Interface）表示のためのデータが保存されたＲＯＭ（Read Only Memory）部と、各種処理を実行するためのワークエリアとしてのＲＡＭ（Random Access Memory）部を備える。
【００２４】
操作部１０９は、ユーザがデジタルカメラの各種機能を実行させるために操作する複数の操作ボタンで構成され、画像を撮像するためのシャツターボタン、絞り及びシャツタースビート調整ボタン、さらにＤＰＯＦファイルを生成するためのボタン、表示部１０５に表示されるＧＵＩの選択項目にカーソル（ハイライト）を移動させるためのカーソルボタン、カーソルが移動した選択項目を選択登録するための決定ボタン等を含む。
【００２５】
さらにＵＳＢＩ／Ｆ１１０は、ＵＳＢを介して外部機器と接続して画像データ及びＤＰＯＦファイルを伝送するために用いるもので、ＵＳＢコネクタを備えている。
【００２６】
次に、本発明のＤＰＯＦファイルを作成する手順について説明する。ユーザは、操作部１０９を操作することで、ＣＰＵ１０３が、画像の出力先をＤＰＯＦファイル内に設定するためのＧＵＩ画面を構築するデータを読出して、これを表示部１０５で表示させる。
【００２７】
出力先を選択するための画面例を図２に示す。図２に示す例では、出力先は、プリンタとＤＶＤドライブ装置であって、ユーザは操作部１０９を操作して、斜線で示すカーソル（ハイライト）２０１によっていずれかを選択して決定ボタンを操作する。図２では、画像データの出力先としてＤＶＤドライブ装置が選択されることになる。
【００２８】
次に、ＣＰＵ１０３は、ＳＤカード１０７に記録されている画像データを読み出して、バス１０２を介してＤＳＰ１０３に送り、表示のための処理を施して表示部１０５にサムネイルとして表示させる。
【００２９】
表示部１０５の表示例を図２に示す。図３に示すように、例えば６枚（ファイル）の画像が表示され、ユーザは操作部１０９のカーソルボタンを操作して、斜線で示すカーソル（ハイライト）３０１を、ＤＰＯＦファイルを記録したい画像に移動させて、決定ボタンを操作することで、その画像データのＤＰＯＦファイルが、出力先をＤＶＤドライブ装置として設定されて記録される。なお、表示部１０５で一度に表示される画像は６枚（ファイル）であるがページ繰りすることで、他の６枚（ファイル）の画像を順次表示させることが可能である。
【００３０】
図４は、以上説明したＤＰＯＦファイル生成処理を改めて説明するためのフローチャートである。図４において、ステップＳ４０１で、図２に示す画像データ出力先の選択画面を表示する。ＤＰＯＦの標準では、出力先はプリンタであり、ＤＰＯＦ拡張機能としてＤＶＤドライブ装置を出力先に設定することが可能である。
【００３１】
ステップＳ４０１の選択画面表示によって、ユーザは出力先を選択する。ステップＳ４０２では、ユーザが出力先としてＤＶＤドライブ装置を選択したか否かの判定がなされる。
【００３２】
ＤＶＤドライブ装置が選択された場合には、ステップＳ４０３によって、図３に示す動画及び静止画のサムネイルを表示した画像選択画面を表示する。次いで、ステップＳ４０４で、出力画像をサムネイルの中から選択し、ステップＳ４０５で出力画像の選択が終了したか否かが判定され、終了していない場合には、ステップＳ４０３に戻る。
【００３３】
出力画像の選択処理が終了した場合には、ステップＳ４０６で出力先をＤＶＤドライブ装置として設定したＤＰＯＦファイルを生成（コンタクトシート記述を含む）し、次いでステップＳ４０７で生成したＤＰＯＦファイルをＳＤカードへ書込んで処理を終了する。
【００３４】
ステップＳ４０２でＤＶＤが出力先に選ばれなかったと判定された場合には、ステップＳ４０８で、図３に示す動画及び静止画のサムネイルを表示した画像選択画面を表示する。次いで、ステップＳ４０９で、出力画像をサムネイルの中から選択し、ステップＳ４１０で出力画像の選択が終了したか否かが判定され、終了していない場合には、ステップＳ４０８に戻る。
【００３５】
出力画像の選択処理が終了した場合には、ステップＳ４１１で出力先をプリンタとして設定したＤＰＯＦファイルを生成（コンタクトシート記述を含む）して、ステップＳ４０７に進み、生成したＤＰＯＦファイルをＳＤカードへ書込んで処理を終了する。
【００３６】
図５は、図１に示すデジタルカメラ装置１００と接続されて、ＤＰＯＦファイルに基き、画像データを受けて、それをＤＶＤに記録することが可能なＤＶＤ−Ｒ（DVD-Recordable）あるいはＤＶＤ−ＲＷ（DVD-ReWritable）に対応するドライブ機器の回路ブロック図である。
【００３７】
図５において、ＤＶＤドライブ機器５００は、ＤＶＤドライブ５０１と、このＤＶＤドライブ５０１を制御するコントローラ５０２を有し、このコントローラ５０２がバス５０３に接続されている。
【００３８】
バス５０３には、ＣＰＵ５０４が接続され、ＣＰＵ５０４によってＤＶＤドライブ機器５００全体の動作、機能の設定あるいは調整が実行される。この目的のため、バス５０３に、ＣＰＵ５０４で各種処理を実行するためのプログラムが保存されたＲＯＭ部とワーク領域としてのＲＡＭ部を有するメモリ５０５が接続されている。
【００３９】
さらにＤＶＤドライブ機器５００は、それぞれバス５０３に接続された、ＳＤカードＩ／Ｆ５０６と、操作部５０７と、表示部５０８と、ＵＳＢホストＩ／Ｆ５０９を備えている。
【００４０】
ＳＤカードＩ／Ｆ５０６には、ＳＤカード５１０が装着可能であり、図１に示すデジタルカメラ１００のＳＤカード１０７から、そこに記録された画像データとＤＰＯＦファイルを読込むことが可能である。
【００４１】
操作部５０７は、ユーザが操作してＤＶＤドライブ機器５００の動作、
機能の設定あるいは調整を行うための複数のボタンを備える。
【００４２】
表示部５０８は、ＤＶＤドライブ機器５００の動作状態を表示する他、後述する、本発明の実施形態おけるメニュー画面表示を行う。
【００４３】
ＵＳＢホストＩ／Ｆ５０９は、図１に示すデジタルカメラ１００の ＵＳＢＩ／Ｆ１１０と、ＵＳＢケーブルで接続可能であり、例えばＵＳＢ２．０規格に準拠して画像データあるいは、ＤＰＯＦファイルの読込みが可能である。
【００４４】
以上のように構成されたＤＶＤドライブ機器５００が、図１のデジタルカメラのＳＤカード１０７に記録されたＤＰＯＦファイルに基づいて動作する状況を説明する。
【００４５】
図６及び図７は、デジタルカメラ１００のＳＤカード１０７に記録されたＤＰＯＦファイルの具体例を示すものである。
【００４６】
図６は、インデックスプリントデータを用いた“ＡＵＴＯＰＲＩＮＴ．ＭＡＫ”の記述例の一部を示すものであり、ユーザ定義領域に出力先をＤＶＤドライブ装置とする記述がされ、さらに、画像を選択するためのメニュー画面表示のための記述がされている例を示す。
【００４７】
すなわち、“ＡＵＴＯＰＲＩＮＴ．ＭＡＫ”は、ヘッダ（［ＨＤＲ］）で開始されるヘッダ部の中に、本発明の実施の形態の特徴である枠６０１で囲った“ＶＵＱ  ＲＧＮ＝ＢＧＮ”で開始される最初のユーザ定義領域（Ａ）が設けられ、ここに、ターゲットデバイス（ＴＲＧ  ＤＥＶ）として“ＤＶＤ−Ｒ，ＤＶＤ−ＲＷ”が記述されている。
【００４８】
枠６０１内には、さらに記録フォーマットを指定する“ＴＲＧ  ＦＭＴ＝“Ｖｉｄｅｏ”“と、メディアクローズの可否を設定する“ＴＲＧ  ＣＬＳ＝ｙｅｓ”と、メニューＪＯＢを指定する“ＴＲＧ  ＭＮＵ＝００１”が記述され、“ＶＵＱ  ＲＥＧ＝ＥＮＤ”でユーザ定義領域（Ａ）を終了する。
【００４９】
次の［ＪＯＢ］は、ユーザ定義領域（Ａ）で指定された、メニューＪＯＢを実行する際ための記述がされている。すなわち、ＰＲＴ  ＰＩＤ（プリント・プロダクトＩＤ（IDentification））＝００１と記述され、ユーザ定義領域（Ａ）で定義された、メニューＪＯＢであることを示している。
【００５０】
次の行の記述“ＰＲＴ  ＴＹＰ＝ＩＤＸ”は、コマンドであり、インデックス印刷を実行させる。すなわち、メニュー画面にＴＯＳ０００１．ｊｐｇ〜ＴＯＳ００９．ｊｐｇの９個の画像が表示されることを示している。
【００５１】
次の枠６０２で囲まれた部分は、本発明の実施の形態の特徴であるユーザ定義領域（Ｂ）を示すもので、ここでは、メニュー画面で表示される画像と、実際の画像データをリンクさせるための記述がなされている。
【００５２】
すなわち、“ＬＩＮＫ  ＰＩＤ”が記述され、メニューにリンクするＪＯＢ番号を定義して、メニューファイル用のＰＧＣ（Program Chain）を生成する。
【００５３】
図７は、実際にＤＶＤメディアに保存される画像データを定義する記述の例を示している。なお、説明の便宜上、図６と分けて示しているが、図６と図７はそれぞれ同じＤＰＯＦファイルの一部であり、実際には結合されて一体化されているものである。
【００５４】
図７において、“ＰＲＴ  ＰＩＤ＝００２”は、静止画像ＴＯＳ０００１．ｊｐｇをＤＶＤメディアに書込むというものであり、この静止画像データは、図６の枠６０２で示すユーザ定義領域（Ｂ）の“ＬＩＮＫ  ＰＩＤ＝００２”に対応するものである。
【００５５】
次の枠７０１で囲まれた領域はユーザ定義領域（Ｃ）であり、ここでは、“ＰＲＴ  ＰＩＤ＝００３”として、ＤＶＤ  Ｖｉｄｅｏ用の動画データファイルａａ０２．ＶＲＯをＤＶＤメディアに書込むというものである。
【００５６】
次の“ＰＲＴ  ＰＩＤ＝００４”は、静止画像ＴＯＳ０００４．ｊｐｇをＤＶＤに書込むというものであり、この静止画像データは、図６の枠６０２で示すユーザ定義領域（Ｂ）の“ＬＩＮＫ  ＰＩＤ＝００４”に対応するものである。
【００５７】
以上説明したＤＰＯＦファイルでは、９個の画像データ（静止画像ファイルまたは動画像ファイル）がデジタルカメラ１００から転送されてＤＶＤメディアに書込まれ、さらに、ＤＶＤメディアに書込まれた画像をメニュー表示させて、ユーザが再生したい画像を選択することを可能とするように構成されている。
【００５８】
図６及び図７に基づき説明した処理を、図８のフローチャートで改めて説明する。図８において、ＤＰＯＦファイルの読込みを開始した後、ステップＳ８０１で［ＨＤＲ］エリアにＤＶＤ定義が記述されているか否かの判定を行う。判定の結果、ＤＶＤ定義が記述されていれば、ステップＳ８０２で、ユーザ定義領域（Ａ）内のメニューＪＯＢ番号にジャンプする。
【００５９】
次いで、ステップＳ８０３で、ＤＰＯＦのインデックス印刷コマンドにしたがってメニュー画像データを生成する。次に、ステップＳ８０４でユーザ定義領域（Ｂ）の“ＬＩＮＫ  ＰＩＤ”の情報を元に、メニューでリンクされるＪＯＢ番号を取得してメニューファイル用のＰＧＣを生成する。
【００６０】
次に、ステップＳ８０５で［ＪＯＢ］ＰＩＤ＝００２領域の記述内容を読込む。ＰＩＤ＝００２では、静止画ファイルのみであるので、画像データをＤＶＤメディアのＶｉｄｅｏエリア外にコピーする。
【００６１】
次に、ステップＳ８０６で［ＪＯＢ］ＰＩＤ＝００３領域の記述内容を読込む。ＰＩＤ＝００３では、動画ファイルのみなので、ＶＯＢ（Video Object）ファイルをＤＶＤメディアのＤＶＤ  Ｖｉｄｅｏエリア内に挿入する。
【００６２】
次に、ステップＳ８０７で［ＪＯＢ］ＰＩＤ＝００４領域の記述内容を読込む。ＰＩＤ＝００４では、静止画ファイルのみであるので、画像データをＤＶＤメディアのＶｉｄｅｏエリア外にコピーする。
【００６３】
以下同様にして、静止画像の場合は、画像データをＤＶＤメディアのＶｉｄｅｏエリア外にコピーし、動画像の場合は、ＶＯＢファイルをＤＶＤメディアのＤＶＤ  Ｖｉｄｅｏエリア内に挿入する。
【００６４】
なお、ステップＳ８０１で［ＨＤＲ］エリアにＤＶＤ定義が記述されていないと判断された場合には、処理を終了する。
【００６５】
図９は、ＤＶＤドライブ機器５００において、デジタルカメラ１００から伝送され、ＤＶＤメディアに記録された画像データをメニュー表示する例を示すものである。
【００６６】
ユーザが、ＤＶＤドライブ機器５００の操作部５０７を操作することで、図９に示すように、表示部５０８あるいは、図示しない外部のモニタにメニュー画面を表示させる。ユーザは操作部５０７を操作して、いずれかの画像を選択することで、その画像（動画あるいは静止画）が外部モニタに表示される。
【００６７】
なお、以上説明した実施の形態によれば、保存メディアとしてＤＶＤメディアを適用するようにしたが、ＣＤメディアを保存メディアとして構成することも可能である。
【００６８】
また、メモリカードとしてＳＤカードを適用した例を示したが、他のメモリカードが適用できることは述べるまでもない。
【００６９】
以上説明したように本発明によれば、ＤＰＯＦファイルのユーザ定義領域を用いて、画像データの出力先を定義することで、ＣＤあるいはＤＶＤドライブ機器に直接画像データを伝送して、ＣＤメディアあるいはＤＶＤメディアに画像データを保存することができる。このため、ＰＣを立ち上げてアプリケーションソフトを起動させる必要がなく、操作性が著しく向上するものである。
【００７０】
さらに、ＤＰＯＦファイルによって、保存した画像データのメニュー表示を設定することも可能となり、使い勝手をさらに向上させることができるものである。
【図面の簡単な説明】
【００７１】
【図１】この発明に係わるデジタルカメラの一実施の形態を示す回路ブロック図。
【図２】図１に示すデジタルカメラの動作を説明するために示す図。
【図３】図１に示すデジタルカメラの動作を説明するために示す図。
【図４】図１に示すデジタルカメラの動作を説明するためのフローチャート。
【図５】この発明に係わるＤＶＤドライブ装置の一実施の形態を示す回路ブロック図。
【図６】図５に示す装置のためのＤＰＯＦファイルの記述例を示す図。
【図７】図５に示す装置のためのＤＰＯＦファイルの記述例を示す図。
【図８】図５に示す装置の動作を説明するためのフローチャート。
【図９】図５に示す装置の動作を説明するための図。
【符号の説明】
【００７２】
１００…デジタルカメラ
１０１…撮像部
１０２…バス
１０３…ＣＰＵ
１０４…ＤＳＰ
１０５…表示部
１０６…ＳＤＩ／Ｏ
１０７…ＳＤカード
１０８…メモリ
１０９…操作部
１１０…ＵＳＢＩ／Ｆ
５００…ＤＶＤドライブ装置
５０１…ＤＶＤドライブ
５０２…コントローラ
５０３…バス
５０４…ＣＰＵ
５０５…メモリ
５０６…ＳＤカードＩ／Ｆ
５０７…操作部
５０８…表示部
５０９…ＵＳＢホストＩ／Ｆ
５１０…ＳＤカード
【図１】
2006157717.tif 000003
【図２】
2006157717.tif 000004
【図３】
2006157717.tif 000005
【図４】
2006157717.tif 000006
【図５】
2006157717.tif 000007
【図６】
2006157717.tif 000008
【図７】
2006157717.tif 000009
【図８】
2006157717.tif 000010
【図９】
2006157717.tif 000011